(57)【要約】【課題】靴紐の締結が迅速に、かつ容易に確実に行われ、携帯性であり美観のある靴紐締結装置を提供する。【解決手段】靴に予め設けられている靴紐の締結具２４の回転可能キャップ２６に靴紐締結装置１の嵌着具３を嵌め込むか、または回転可能キャップ２６と一体の引き上げ帯４を作動することにより嵌着具３を介してスプリング１１を付勢し、スプリング体９を介してラチェット爪を有する回転体が回転し、これにより回転可能キャップ２６が回転し、締結具２４を迅速に回転させ、引き上げ帯４の数回の往復動により締結具２４の回転可能キャップ２６を数１０回転させることができる構成である。【選択図】　　　図１
0003098502.tif 000002
【実用新案登録請求の範囲】
【請求項１】
靴紐を締結するために靴紐に係着して一体的に装着され、回転可能な締結部を有する靴紐締結装置において、
前記締結部に連結してこれを回転させる操作部材と、
正回転時にはこの操作部材に係合して一方向に回転させ、逆回転時には前記操作部材に係合せず空転する回動部材と、
この回動部材の中心軸に先端を固着し、他端を該回動部材の周壁に固着または該回転部材の周壁のスリットから外側に引き出す弾性部材と、
前記回動部材の外周壁に固着または周壁のスリットから引き出された前記弾性部材の末端に固着して前記回動部材の周壁に巻回する引き出し帯と、
前記弾性部材を内蔵する回動部材を被覆し、前記引き出し帯の先端を引き出す開口部を備え、回動部材の中心軸を遊嵌軸支した蓋体と、
からなり、前記蓋体の開口部から引き出された前記引き出し帯を外方に引き出すことにより前記弾性部材を付勢すると共に前記回動部材を回動させ、前記回動部材に係合した前記操作部材または操作部材を介して締結部を回転させ、前記引き出し帯の数回の往復操作により前記靴紐を締結することを特徴とした靴紐締結装置。
【請求項２】
靴紐を締結するために靴紐に係着して一体的に装着され、回転可能な締結部を有する靴紐締結装置において、
靴紐を締める前記締結部を回転させる回転部材と、
この回転部材の外側周面または内周面に形成し、この回転部材を一方向に回転するように配列した歯列部と、
この歯列部に係合するように常時弾性が付与された爪片及び周面に溝部を備えた筒体と、
この筒体の中心軸に基端側を固定すると共に自由端側を前記筒体内面に固着またはこの筒体の周面に穿った開口部から引き出されて露呈している弾性部材を有するスプリング体と、
前記筒体の内面に前記弾性部材の末端が固着しているときはこの溝部の外面に固着または前記筒体から露呈している弾性部材の末端に固着し、前記溝部に巻回されている引き出し帯と、
前記回転部材、筒体及びスプリング体を被包して保持し、前記引き出し帯の通孔を有する蓋体と、
を有するものからなり、
前記裏蓋内に配置した前記回転部材と、前記筒体の中心軸の端部が表蓋内面に嵌合固着し、前記表蓋の通孔から引き出された前記引き出し帯を外方に引き出して前記スプリング体の弾性部材を付勢しながら筒体の回転によりこの爪片に係合した前記回転部材を回転し、靴紐の前記締結部を回転して靴紐を締め付け、この弾性部材の復帰動作により引き出し帯が戻されたとき筒体は逆転して前記回転部材の歯列部を滑り、この引き出し帯の数回の引き出し操作により靴紐を完全に締結することを特徴とする靴紐締結装置。
【請求項３】
靴紐を締結するために前記靴紐に係着して一体的に装着されている靴紐の締結部に着脱可能に装着される靴紐締結装置であって、
該靴紐締結装置は、前記締結部に着脱可能に嵌着される回転部材と、
該回転部材の背面に固定される大歯車と、
該大歯車に一方向にのみ爪着する第１の爪を介して連結すると共に中心軸を有する小歯車と、
前記大歯車に連結して、これを回転させる引き出し帯と、
前記中心軸に基端側を固定すると共に自由端側を前記大歯車（滑車）または引き出し帯に固定する弾性部材を有するスプリング体と、
前記嵌着具，大歯車，小歯車及びスプリング体を被包して保持する蓋体とを有するものからなり、
前記蓋体と前記大歯車とは前記蓋体側に設けられて一方向にのみ爪着する第２の爪により連結され、前記スプリング体（または滑車）に巻回される引き出し帯は前記蓋体から露出し、前記第１の爪と第２の爪とは爪着方向が互いに逆に形成されてなり、
前記小歯車の中心軸の末端が蓋体内面に嵌合固着し、前記蓋体の開口部から引き出された前記引き出し帯を前記弾性部材の弾力に抗して引き出して小歯車を回転し、この小歯車の第１の爪片に係着した大歯車を介して前記回転部材を回転して前記靴紐の前記締結部を回転して靴紐を締め付け、引き出し帯を戻したときは前記弾性部材の弾性復帰動作により小歯車は逆転して大歯車の内面を滑り、この引き出し帯の数回の引き出し操作により靴紐を完全に締結することを特徴とする靴紐締結装置。
【請求項４】
靴紐を締結するために前記靴紐に係着して一体的に装着されている靴紐の締結部に着脱可能に装着される靴紐締結装置であって、
該靴紐締結装置は、前記締結部に着脱可能に嵌着される嵌着具と、
該嵌着具の背面に固定される大歯車と、
該大歯車に一方向にのみ爪着する第１の爪を介して連結すると共に中心軸を有する小歯車と、
前記大歯車に連結して、これを回転させる引き出し帯と、
前記中心軸に基端側を固定すると共に自由端側を前記大歯車（滑車）または引き出し帯に固定する弾性部材を有するスプリング体と、
前記嵌着具，大歯車，小歯車及びスプリング体を被包して保持する蓋体と、
を有するものからなり、前記蓋体と前記大歯車とは前記蓋体側に設けられて一方向にのみ爪着する第２の爪により連結され、前記スプリング体（または滑車）に巻回される引き出し帯は前記蓋体から露出し、前記第１の爪と第２の爪とは爪着方向が互いに逆に形成されることを特徴とする靴紐締結装置。
【考案の詳細な説明】
【０００１】
【考案の属する技術分野】
本考案は、靴紐を確実に締結する締結装置に係り、特に、従来使用されている締結具の締結スピードを大幅に増大した靴紐締結装置に関する。
【０００２】
【従来の技術】
図１６に示されるように従来の靴、特にスノーボード、スキー靴等のスポーツ関係に用いられる靴２５は足首の上方まで嵌り込む深型のものが殆どであり、これを足首に堅く固定しなければ軽快な動きができず、足首に堅くすることが重要であった。かつ、このために靴の開閉部分などに装着された靴紐堅く締め付けるための締結具２４を一体的に付設することが義務づけられつつある。前記の締結具２４としては各種のものがあり、例えば、特許文献１，２，３，４が挙げられる。
【０００３】
【特許文献１】
特開平５−２１１９０６号公報（全頁）
【特許文献２】
特開平６−２３７８０２号公報（全頁）
【特許文献３】
特開平７−２０８号公報（全頁）
【特許文献４】
特表２００１−５０９７０３号公報（全頁）
【０００４】
【考案が解決しようとする課題】
前記の特許文献１乃至４の靴紐の締結具２４は夫々その構造に特徴を有し、靴紐２７を確実に締結する機能を有するものであるが、足首部分が長いスノーボード靴等は靴紐２７の締結は当っては締結具２４の回転体である回転可能キャップ２６等を手動で回転させて靴紐２７の締結を行うものである。しかも、いずれのものも数十回も前記回転可能キャップ２６を回転させる必要があり、靴紐２７の締結に手間と労力を必要とする問題点がある。特に、冬季においては手がかじかんでいる場合が多く、締結具２４の回転作業は円滑に行われず、かつ確実な回転ができなくなる可能性もある。
【０００５】
本考案は、以上の問題点を解決するために考案されたものであり、従来の締結部の回転体を手動で回転させることを改善したものである。
本考案の課題は、簡単な帯紐の引き上げ作業により極めて迅速に、かつ確実に行われることができ、靴紐の急速締結が可能になる靴紐締結装置を提供することである。
また、他の課題は携帯可能な、小型の締結装置で、簡易な方法によって靴紐の急速締結が可能になる着脱自在の締結具を備えた靴紐締結装置を提供することである。
【０００６】
【課題を解決するための手段】
本考案は、以上の課題を達成するため請求項１の靴紐締結装置は、靴紐を締結するために靴紐に係着して一体的に装着され、回転可能な締結部を有する靴紐締結装置において、前記締結部に連結してこれを回転させる操作部材と、正回転時にはこの操作部材に係合して一方向に回転させ、逆回転時には前記操作部材に係合せず空転する回動部材と、この回動部材の中心軸に先端を固着し、他端を該回動部材の周壁に固着または該回転部材の周壁のスリットから外側に引き出す弾性部材と、前記回動部材の外周壁に固着または周壁のスリットから引き出された前記弾性部材の末端に固着して前記回動部材の周壁に巻回する引き出し帯と、前記弾性部材を内蔵する回動部材を被覆し、前記引き出し帯の先端を引き出す開口部を備え、回動部材の中心軸を遊嵌軸支した蓋体と、からなり、前記蓋体の開口部から引き出された前記引き出し帯を外方に引き出すことにより前記弾性部材を付勢すると共に前記回動部材を回動させ、前記回動部材に係合した前記操作部材または操作部材を介して締結部を回転させ、前記引き出し帯の数回の往復操作により前記靴紐を締結する構成である。このような構成により、従来の締結部の回転体を手動で回転させることなく、引き上げ帯を数回往復動作することにより、締結部が数十回回転でき、極めて、短時間に、かつ確実に靴紐を締結することができる。
【０００７】
本考案の課題は、靴紐を締結するために靴紐に係着して一体的に装着され、回転可能な締結部を有する靴紐締結装置において、靴紐を締める前記締結部を回転させる回転部材と、この回転部材の外側周面または内周面に形成し、この回転部材を一方向に回転するように配列した歯列部と、この歯列部に係合するように常時弾性が付与された爪片及び周面に溝部を備えた筒体と、この筒体の中心軸に基端側を固定すると共に自由端側を前記筒体内面に固着またはこの筒体の周面に穿った開口部から引き出されて露呈している弾性部材を有するスプリング体と、前記筒体の内面に前記弾性部材の末端が固着しているときはこの溝部の外面に固着または前記筒体から露呈している弾性部材の末端に固着し、前記溝部に巻回されている引き出し帯と、前記回転部材、筒体及びスプリング体を被包して保持し、前記引き出し帯の通孔を有する蓋体とを有するものからなり、前記裏蓋内に配置した前記回転部材と、前記筒体の中心軸の端部が表蓋内面に嵌合固着し、前記表蓋の通孔から引き出された前記引き出し帯を外方に引き出して前記スプリング体の弾性部材を付勢しながら筒体の回転によりこの爪片に係合した前記回転部材を回転し、靴紐の前記締結部を回転して靴紐を締め付け、この弾性部材の復帰動作により引き出し帯が戻されたとき筒体は逆転して前記回転部材の歯列部を滑り、この引き出し帯の数回の引き出し操作により靴紐を完全に締結する構成である。
【０００８】
また、本考案の課題は、靴紐を締結するために前記靴紐に係着して一体的に装着されている靴紐の締結部に着脱可能に装着される靴紐締結装置であって、該靴紐締結装置は、前記締結部に着脱可能に嵌着される回転部材と、該回転部材の背面に固定される大歯車と、該大歯車に一方向にのみ爪着する第１の爪を介して連結すると共に中心軸を有する小歯車と、前記大歯車に連結して、これを回転させる引き出し帯と、前記中心軸に基端側を固定すると共に自由端側を前記大歯車（滑車）または引き出し帯に固定する弾性部材を有するスプリング体と、前記嵌着具，大歯車，小歯車及びスプリング体を被包して保持する蓋体とを有するものからなり、前記蓋体と前記大歯車とは前記蓋体側に設けられて一方向にのみ爪着する第２の爪により連結され、前記スプリング体（または滑車）に巻回される引き出し帯は前記蓋体から露出し、前記第１の爪と第２の爪とは爪着方向が互いに逆に形成されてなり、前記小歯車の中心軸の末端が蓋体内面に嵌合固着し、前記蓋体の開口部から引き出された前記引き出し帯を前記弾性部材の弾力に抗して引き出して小歯車を回転し、この小歯車の第１の爪片に係着した大歯車を介して前記回転部材を回転して前記靴紐の前記締結部を回転して靴紐を締め付け、引き出し帯を戻したときは前記弾性部材の弾性復帰動作により小歯車は逆転して大歯車の内面を滑り、この引き出し帯の数回の引き出し操作により靴紐を完全に締結する
【０００９】
この考案の課題は、前記締結部に着脱可能に嵌着される嵌着具と、該嵌着具の背面に固定される大歯車と、該大歯車に一方向にのみ爪着する第１の爪を介して連結すると共に中心軸を有する小歯車と、前記大歯車に連結して、これを回転させる引き出し帯と、前記中心軸に基端側を固定すると共に自由端側を前記大歯車（滑車）または引き出し帯に固定する弾性部材を有するスプリング体と、前記嵌着具，大歯車，小歯車及びスプリング体を被包して保持する蓋体とを有するものからなり、前記蓋体と前記大歯車とは前記蓋体側に設けられて一方向にのみ爪着する第２の爪により連結され、前記スプリング体（または滑車）に巻回される引き出し帯は前記蓋体から露出し、前記第１の爪と第２の爪とは爪着方向が互いに逆に形成される構成によって達成でき、この靴紐締結装置を従来の締結部に嵌め込み、引き上げ帯を数回往復動作することにより、締結部が数十回回転でき、極めて、短時間に、かつ確実に靴紐を締結することができる。また、引き上げ帯の引き上げ作業は冬季等において全く問題なく、簡単に、かつ容易に行われる。
【００１０】
また、前記嵌着具の前記締結部に嵌り込む内面には滑り止めが形成することにより、本考案の靴紐締結装置を従来の締結部に確実に嵌着することができる。
更に、本考案の靴紐締結装置は、前記蓋体が、卵型，楕円型，グランド型，円型，角型に形成し、蓋体を色々の形式のものにすることにより、靴紐の向上と美観の向上が図れる。
前記蓋体には、靴紐締結装置全体を人体側に着脱可能に連結する連結体（キーホルダのような）が付設されることにより、本考案の靴紐締結装置を容易に持ち運びでき、必要時にすぐ対応することができる。また、紛失防止が図れる。
【００１１】
本考案の靴紐締結装置は外側の蓋体が、カラフルの樹脂成型体によって形成されることにより、軽量化が図れ、取扱性の向上が図られると共に、美観の向上が図れる。
【００１２】
【考案の実施の形態】
以下、本考案の靴紐締結装置の実施形態について図面を参照して詳述する。
図１は、本考案の靴紐締結装置の内部構造を示す断面図である。図２は本考案の靴紐締結装置の重要構成要素である爪着構造を説明するための断面図である。図３は本考案の靴紐締結装置の外観図である。図４は本考案の靴紐締結装置の構成要素の１つである嵌着具を示す斜視図である。図５は本考案の靴紐締結装置の構成要素の１つである大歯車を示す斜視図である。図６は本考案の靴紐締結装置の構成要素の１つである小歯車を示す斜視図である。図７は、本考案の靴紐締結装置の構成要素の１つである弾性部材のスプリング体を示す斜視図である。図８は図７のスプリング体の横断面図である。
【００１３】
図９は本考案の他の実施形態を示す断面図である。図１０は図９の実施形態の分解斜視図である。図１１は図１０の裏側から見た分解斜視図である。図１２は本考案の他の実施形態の引き上げ帯を示す横断面図である。図１３は本考案の靴紐締結装置と締結部の嵌合形態を説明するための部分断面図である。図１４は本考案の嵌着具が円型の蓋体からなる靴紐締結装置を示す斜視図である。図１５は本考案の靴紐締結装置を装着した靴を示す斜視図である。図１６は従来の靴紐締結部を備えたスポーツ靴の斜視図である。
【００１４】
図３は本考案の靴紐締結装置１の外観図を示す。即ち、靴紐締結装置１は内部構成要素を収納するカラフルの樹脂成形体からなる蓋体２と、従来の締結部（図１５に示す）内の回転部または締結部に嵌り込む嵌着具３と、これら回転部に結合し、この回転部を回転する引き上げ帯４及び連結体５等が外観に表われるものからなる。連結体５を人体側のバンド等に係着することにより携帯することができる。また、図３の靴紐締結装置１の蓋体２は卵型のものからなるが、勿論これに限定するものではない。
【００１５】
図１は靴紐締結装置１の内部構造の一例を示すものである。蓋体２は表面側蓋体２ａと裏面側蓋体２ｂとを一体的に合体したものからなり、その頂部やその近傍には回動部材に巻回する引き上げ帯４が貫通する貫通孔１２や連結体５を保持するための保持部１３が形成される。また、表面側蓋体２ａには靴紐１７の締結部（または回転キャップ２６）に嵌合する操作部材である嵌着具３が貫通し得る丸孔１４が形成され、裏面側蓋体２ｂの内部側には丸孔１４の中心線と合致する位置にボス１５が一体的に形成される。なお、ボス１５内には支持穴１６が形成される。また、丸孔１４には図１，図２に示す第２の爪１７が内部側に突出して一体的に形成される。
【００１６】
前記嵌着具３は図１及び図４に示すように表面側に開口部１８を有するテーパ状の皿体からなっているが、この形状に限定されるものではない。その内面には滑り止め１９が形成される。この滑り止め１９は嵌着具３を嵌合する靴紐２７の締結部の回転可能キャップ２６を確実に固持するためのものであり、例えば、多数本の筋目２０等とからなる。この嵌着具３は回転可能キャップ２６と一体に形成されていてもよい。
【００１７】
嵌着具３または回転部である回転可能キャップ２６の裏面には図５に示す実施形態では大歯車６が固定される。大歯車６は貫通孔２１を形成するリング状の歯車からなり、貫通孔２１の周縁には第１の爪２２が一体的に内部に突出して形成される。
【００１８】
小歯車７は図１及び図６に示す構造からなり、図１に示すように大歯車６の貫通孔２１内に収納されて組み付けられるものからなる。小歯車７は歯部７ｂを形成する歯車本体７ａとこの中心に一体的に固定されて突出する中心軸８からなる。なお、中心軸８の突出端は裏面側蓋体２ｂのボス１５の支持穴１６に挿入されて支持される。
【００１９】
弾性部材であるスプリング１１を内蔵するスプリング体９は図７乃至図８に示すように内筒９ｃ（回動部材）とこれを介して相対向して配置される円板９ａ，９ｂとを一体的に成型したものからなる。スプリング１１は板バネを巻回したものからなり内筒９ｃ内に収納され、その外周面を内筒９ｃの内面に弾接したものからなる。このスプリング１１は内筒９ｃの窓１０から露出して配置される。
他の実施形態として図１２に示すように内筒９ｃの窓１０を穿設してない場合は、内筒９ｃの内側にスプリング１１の末端を固着し、この内筒９ｃの外側に引き出し帯４の先端を固着してある。
【００２０】
この実施形態では、スプリング体９の円板９ａは小歯車７の背面に固定される。また、中心軸８はスプリング体９のスプリング１１の中心孔及び円板９ｂを貫通し裏面側蓋体２ｂのボス１５の支持穴１６に保持される。また、スプリング１１の基端は中心軸８に固定され、他端は自由端となり、図１２に示すように外側の滑車である円板９ｂ（内筒９ｃ）に固着するか、図８に示すように窓１０から露出して引き上げ帯４に接続連結される。
【００２１】
以上の構造により引き上げ帯４の先端を内筒９ｃに固着してこの引き上げ帯４を引き上げることにより内筒９ｃを回転させるか、または窓１０から露出しているスプリング１１を引き出し、内筒９ｃに巻きつけて圧接されているスプリング体が回転し小歯車７が回転することになる。このときスプリング１１の自由端を滑車に固着している場合は引き上げ帯４の末端が滑車に固着され、この滑車を引き上げ帯４の引っ張りによって滑車を回転してスプリング１１をチャージする。また、引き上げ力を解除するとスプリング１１の戻り力により引き上げ帯４は元の方向に戻り内筒９ｃに巻回される。
【００２２】
次に、図２により前記の第１の爪２２と第２の爪１９の詳細構造とこれ等と大歯車６及び小歯車７との爪着構造について説明する。図示のように表面側蓋体２ａに形成される第２の爪１７は大歯車６の歯部６ａに爪着するが、歯部６ａの構造と第２の爪１７の構造は図２において大歯車６の左廻り方向に自由で右廻り方向に対しては互いに爪着するワンウエイ構造からなる。一方、大歯車６の第１の爪２２は小歯車７の歯部７ｂに爪着するが、歯部７ｂの構造と第１の爪２２の構造は図２において小歯車７の左廻り方向に対し互いに爪着し、右廻り方向に自由なワンウエイ構造のものからなる。以上の構造により小歯車７が仮りに右廻りすると大歯車６は全く回転しない。一方、小歯車７が左廻りすると第１の爪２２を介して大歯車６が回転するが大歯車６と蓋体２ａの第２の爪１７とは自由状態のため、大歯車６は第２の爪１７に拘束されずに円滑に回転することになる。
【００２３】
他の実施形態の靴紐締結装置について図９〜１１に示す。
前記小歯車７を使用せず、弾性部材であるとスプリング１１を内蔵するスプリング体９と爪車（円板部９ｄ）とを一体に形成したスプリング体９（回動部材）を使用するもので、図１０に示す分解斜視図にあるように、スプリング体９、操作部材１１８、この操作部材１１８の内面に設けた一方向回転の第１の爪１１７、これに常時係合する弾力が付与されている爪１１７ａが弾性部材を介在して収納する凹部９ｅを有するスプリング体９（回動部材）が表面側蓋２体ａと裏面側蓋体２ｂとの間に収納されるようになっている。軸１０８はスプリング体９の軸孔を貫通し、スプリング収納部９ａにおいてスプリング１１の先端は軸１０８の溝内に固着されている。この軸１０８の末端は裏面側蓋体２ｂの支持穴１６に嵌着してある。
【００２４】
このような構成の実施形態では、図９の断面図に示されるように引き出し帯４を引き出すことにより、スプリング体９が回転し、爪１１７ａによって操作部材１１８の爪１１７に係合して操作部材１１８が回転し、この操作部材１１８に嵌合する嵌着具３が滑り止１１９を介して回転する。引き出し帯４がスプリング体９の内筒９ｃの外側に収納されるときは爪１１７ａは操作部材１１８の爪１１７に係合せず、空転する。つぎに引き出し帯４を引出すとスプリング体９が回転して操作部材１１８を回転させる。
【００２５】
図１２に示すように、引き上げ帯４はナイロン材の蓋体のベルト４ａとその他端部に連結されるリング帯４ｂとからなり前記のようにその端部を内筒９ｃに固着してあり、この内筒９ｃにスプリング１１が固定され、スプリング体９の内筒９ｃの外周に巻回され、図１に示すように蓋体２から露出して配置される。また、連結体５は図３に示すように表面側蓋体２ａの保持部１３に係着するベルト５ａと、ベルト５ａに挿着される係止輪体５ｂとからなる。
【００２６】
次に、本考案の靴紐締結装置１を用いての靴紐の締結方法について説明する。まず、図１６に示すように靴２５に装着されている締結部の回転可能キャップ２６（回転部）に図９または図１４に示すように本考案の靴紐締結装置１の嵌着具３を嵌め込み、その筋目２０等を用いて回転可能キャップ２６を堅く握持する。これにより、締結具２４と靴紐締結装置１とは一体的構造のものとなる。
【００２７】
次に、図２に示されるように引き上げ帯４を用いて小歯車７を左廻り方向に回転させると前記のように大歯車６が左廻り方向に回転する。これにより、大歯車６に固定されている嵌着具３が回転し、締結部の回転方向にキャップ２６を回転させる。締結具２４は元々靴２５の靴紐２７を締結する構造のものからなり、その回転により靴紐２７の締結が行われる。
【００２８】
この場合、引き上げ帯４を少し引き上げても小歯車７が数回回転するため大歯車６及び嵌着具３を数十回転させることは引き上げ帯４の単純な引き上げ動作によって容易に行われる。なお、引き上げ帯４には滑車またはスプリング１１が連結されているため、引き上げ帯４を逆方向に移動することは容易にできる。この場合、小歯車３は逆方向（右廻り方向）に回転するが前記のように大歯車６は回転しない。よって、引き上げ帯４を数回往復動させることによって大歯車６及び嵌着具３を数十回回転させることが容易にできる。
【００２９】
図９〜図１１に示される実施形態について説明する。
スプリング１１を内蔵したスプリング体９の内筒９ｃの外側に巻きつけてある。引き出し帯４の先端は裏面側蓋体２ｂの開口部より外部に引き出され、握部（図示せず）がある。この引き出し帯４の末端はスプリング体９の内筒９ｃの外側に固着されている。このスプリング体９内に収納されるスプリング１１は、一端が中心軸１０８に固着され、他端は内筒９ｃの内側に固着してある。このスプリング体９と一体に形成されている円板部９ｄに爪１１７ａを収納する凹部９ｅが設けられており、この爪１１７ａの先端が外側に飛び出るように弾性部材によって付勢されている。この爪１１７ａが図面では２個配設されているが、この数に限定されない。
【００３０】
このスプリング体９と並設して操作部材１１８を配置し、この操作部材１１８の内側に前記スプリング体９の爪１１７ａに係合する歯爪１１７が配列してある。この操作部材１１８は回転可能キャップ２６に嵌着する開口部１８を備えている。この開口部１８に筋目１２０、滑り止め１１９を配設してある。
裏面側蓋体２ｂの支持穴１６に嵌合する中心軸１０８にスプリング１１の末端を挿入固着してスプリング１１をスプリング体９内に装填する。スプリング体９の円板部９ｄの爪１１７ａを操作部材１１８の歯爪１１７に係合させて、この操作部材１１８とスプリング体９とを嵌装する。
前記操作部材１１８の外側に表面側蓋体２ａを嵌合して完成してある。
【００３１】
このように形成してあるこの実施形態の靴紐締結装置の操作を説明する。
握部を把持して引き出し帯４を引き出したときスプリング体９はスプリング１１の弾力に抗して回転し、爪１１７ａに係合している歯爪１１７が回転する。この歯爪１１７と一体に形成してある操作部材１１８が回転し、この操作部材１１８の内面に設けた装着面１１３が締結部の回転可能キャップ２６に嵌着してあるから回転可能キャップ２６が回転する。
この引き出し帯４をスプリング１１の復元力により戻ると、スプリング体９の爪１１７ａと操作部材１１８の歯爪１１７との係合が解放されてから回りする。次に引き出し帯４を引き出すと操作部材１１８は回転して回転可能キャップ２６も回転して靴紐が締結される。
【００３２】
以上のように本考案の靴紐締結装置１によれば、従来の締結部における回転可能キャップ２６の数十回の回転を引き上げ帯４の約１〜２回の往復作業によって容易に行うことができる。また、引き上げ帯４は上下方向の移動であり締結具のように手動回転でないため、その動作は極めて簡単であり、労力を必要としない。また、手がかじかんだ状態の冬期において問題はない。また、前記のように数回の引き上げ引き下げ動作で済むため短時間で靴紐２７の締結が確実に行われる。
【００３３】
以上に説明した靴紐締結装置１の蓋体２は図１，図２，図３等に示すように、卵型のものからなるが、勿論、これに限定するものでなく、例えば、図９に示す円型のものも採用される。これにより、携帯性の向上や美観の向上が図れる。また、蓋体２としては円型に限らず、例えば、楕円型や角型等のものも採用される。また、その表面にはカラフルの色彩や模様を付けるものも当然採用される。
【００３４】
図１５は本考案の靴紐締結装置が靴紐の締結具と一体に形成された状態を示す実施の形態を示すものである。このように締結具２４を着脱自在でなく、予め靴紐の締結具に一体に形成されていても良い。
【００３５】
【考案の効果】
本考案の靴紐締結装置によれば、靴紐の締結が極めて迅速に、かつ簡単に確実に行われると共に、小型であり、取扱性に便利であるばかりでなく、ポケットなどに収納することができ、携帯性の向上や美観の向上の効果を上げることができる。
【図面の簡単な説明】
【図１】本考案の靴紐締結装置の内部構造を示す断面図である。
【図２】本考案の靴紐締結装置の重要構成要素である爪着構造を説明するための断面図である。
【図３】本考案の靴紐締結装置の外観図である。
【図４】本考案の靴紐締結装置の構成要素の１つである嵌着具を示す斜視図である。
【図５】本考案の靴紐締結装置の構成要素の１つである大歯車を示す斜視図である。
【図６】本考案の靴紐締結装置の構成要素の１つである小歯車を示す斜視図である。
【図７】本考案の靴紐締結装置の構成要素の１つであるスプリング体を示す斜視図である。
【図８】図７のスプリング体の横断面図である。
【図９】本考案の他の実施形態を示す断面図である。
【図１０】図９の実施形態の分解斜視図である。
【図１１】図９の実施形態の裏面から見た分解斜視図である。
【図１２】本考案の他の実施形態の引き上げ帯を示す横断面図である。
【図１３】本考案の靴紐締結装置と締結部の嵌合形態を説明するための部分断面図である。
【図１４】本考案の嵌着具が円型の蓋体からなる靴紐締結装置を示す斜視図である。
【図１５】本考案の靴紐締結装置の締結部装着した靴を示す斜視図である。
【図１６】従来の靴紐締結部を備えたスポーツ靴の斜視図である。
【符号の説明】
１　　　靴紐締結装置
２　　　蓋体
２ａ　　表面側蓋体
２ｂ　　裏面側蓋体
３　　　嵌着具
４　　　引き上げ帯
４ａ　　ベルト
４ｂ　　リング
５　　　連結体
５ａ　　ベルト
５ｂ　　係止輪体
６　　　大歯車
６ａ　　歯部
７　　　小歯車
７ａ　　歯車本体
７ｂ　　歯部
８（１０８）　　中心軸
９　　　スプリング体
９ａ　円板
９ｂ　円板
９ｃ　内筒
９ｄ　円板部
９ｅ　凹部
１０　　窓
１１　　スプリング
１２　　貫通孔
１３　　保持部
１４　　丸孔
１５　　ボス
１６　　支持穴
１７　　　第２の爪
１８　　　開口部
１９（１１９）　　滑り止め
２０（１２０）　　筋目
２１　　　貫通孔
２２　　　第１の爪
２３　　　中心孔
２４　　　締結具
２５　　　靴
２６　　　回転可能キャップ
２７　　　靴紐
１１７　　歯爪
１１８　　操作部材
【図１】
0003098502.tif 000003
【図２】
0003098502.tif 000004
【図３】
0003098502.tif 000005
【図４】
0003098502.tif 000006
【図５】
0003098502.tif 000007
【図６】
0003098502.tif 000008
【図７】
0003098502.tif 000009
【図８】
0003098502.tif 000010
【図９】
0003098502.tif 000011
【図１０】
0003098502.tif 000012
【図１１】
0003098502.tif 000013
【図１２】
0003098502.tif 000014
【図１３】
0003098502.tif 000015
【図１４】
0003098502.tif 000016
【図１５】
0003098502.tif 000017
【図１６】
0003098502.tif 000018
【手続補正書】
【提出日】平成15年7月2日(2003.7.2)
【手続補正１】
【補正対象書類名】明細書
【補正対象項目名】請求項３
【補正方法】変更
【補正の内容】
【請求項３】
靴紐を締結するために前記靴紐に係着して一体的に装着されている靴紐の締結部に着脱可能に装着される靴紐締結装置であって、
該靴紐締結装置は、前記締結部に着脱可能に嵌着される回転部材と、
該回転部材の背面に固定される大歯車と、
該大歯車に一方向にのみ爪着する第１の爪を介して連結すると共に中心軸を有する小歯車と、
前記大歯車に連結して、これを回転させる引き出し帯と、
前記中心軸に基端側を固定すると共に自由端側を前記大歯車若しくは滑車または引き出し帯に固定する弾性部材を有するスプリング体と、
前記嵌着具，大歯車，小歯車及びスプリング体を被包して保持する蓋体とを有するものからなり、
前記蓋体と前記大歯車とは前記蓋体側に設けられて一方向にのみ爪着する第２の爪により連結され、前記スプリング体または滑車に巻回される引き出し帯は前記蓋体から露出し、前記第１の爪と第２の爪とは爪着方向が互いに逆に形成されてなり、
前記小歯車の中心軸の末端が蓋体内面に嵌合固着し、前記蓋体の開口部から引き出された前記引き出し帯を前記弾性部材の弾力に抗して引き出して小歯車を回転し、この小歯車の第１の爪片に係着した大歯車を介して前記回転部材を回転して前記靴紐の前記締結部を回転して靴紐を締め付け、引き出し帯を戻したときは前記弾性部材の弾性復帰動作により小歯車は逆転して大歯車の内面を滑り、この引き出し帯の数回の引き出し操作により靴紐を完全に締結することを特徴とする靴紐締結装置。
【手続補正２】
【補正対象書類名】明細書
【補正対象項目名】請求項４
【補正方法】変更
【補正の内容】
【請求項４】
靴紐を締結するために前記靴紐に係着して一体的に装着されている靴紐の締結部に着脱可能に装着される靴紐締結装置であって、
該靴紐締結装置は、前記締結部に着脱可能に嵌着される嵌着具と、
該嵌着具の背面に固定される大歯車と、
該大歯車に一方向にのみ爪着する第１の爪を介して連結すると共に中心軸を有する小歯車と、
前記大歯車に連結して、これを回転させる引き出し帯と、
前記中心軸に基端側を固定すると共に自由端側を前記大歯車若しくは滑車または引き出し帯に固定する弾性部材を有するスプリング体と、
前記嵌着具，大歯車，小歯車及びスプリング体を被包して保持する蓋体と、
を有するものからなり、前記蓋体と前記大歯車とは前記蓋体側に設けられて一方向にのみ爪着する第２の爪により連結され、前記スプリング体または滑車に巻回される引き出し帯は前記蓋体から露出し、前記第１の爪と第２の爪とは爪着方向が互いに逆に形成されることを特徴とする靴紐締結装置。